(57)【要約】【課題】  ＩＤカードを使用するアプリケーションシステムに変更や失効などが生じた場合でも、効率的に処理することができるＩＤカード管理システムを提供する。【解決手段】  ＩＤカードは、固有情報が記憶された記憶手段を有し、管理用コンピュータには、固有情報に関係付けられて、利用者個人情報と、処理することができるアプリケーションシステムのシステム特定情報とが登録されているＩＤカード管理情報データベースと、前記ＩＤカード管理情報データベースにおいて、システム特定情報に変更が生じた場合に、システム特定情報の変更情報を入力する入力手段と、ＩＤカード管理情報データベースに登録されている情報を管理用コンピュータに接続されたディスプレイに表示させる手段と、使用可能なアプリケーションシステムに変更が生じた場合に、そのアプリケーションシステムに対し変更指示情報を送信する変更指示情報送信手段とが備えられている。【選択図】        図１
2006107072.tif 000002
【特許請求の範囲】
【請求項１】
管理用コンピュータと、該管理用コンピュータに通信可能と接続された複数のアプリケーションシステムと、前記複数のアプリケーションシステムに対して共通使用可能に発行されたＩＤカードとからなるＩＤカード管理システムであって、
前記ＩＤカードには、前記複数のアプリケーションシステムを利用する際に必要な固有情報が記憶された記憶手段を有し、
前記管理用コンピュータには、前記固有情報に関係付けられて、前記ＩＤカードの利用者個人情報と、前記ＩＤカードを用いて処理することができるアプリケーションシステムを特定するシステム特定情報とが登録されているＩＤカード管理情報データベースと、前記管理用コンピュータ内の前記ＩＤカード管理情報データベースにおいて、前記ＩＤカードの固有情報に関係付けられているシステム特定情報に変更が生じた場合に、前記ＩＤカード管理情報データベースに登録されているシステム特定情報を変更するための変更情報を入力する入力手段と、前記ＩＤカード管理情報データベースに登録されている情報を管理用コンピュータに接続されたディスプレイに表示させる手段と、前記ＩＤカードで使用可能なアプリケーションシステムに関して変更が生じた場合に、変更が生じたアプリケーションシステムに対して変更指示情報を送信する変更指示情報送信手段と、
が備えられていることを特徴とするＩＤカード管理システム。
【請求項２】
前記ＩＤカード管理情報データベースには、登録されているシステム特定情報毎に、該システム特定情報で特定されるアプリケーションシステムに関して、前記ＩＤカードで使用可能な場所を特定する情報が登録されていることを特徴とする請求項１記載のＩＤカード管理システム。
【請求項３】
前記ＩＤカード管理情報データベースには、前記ＩＤ情報に関係付けられて、ＩＤカードが再発行された際に、再発行されたＩＤカードの記憶手段に記憶される再発行用のＩＤ番号が登録されていることを特徴とする請求項１記載のＩＤカード管理システム。
【発明の詳細な説明】
【技術分野】
【０００１】
本発明は、複数種類のアプリケーションシステムに対して共通して利用することができるＩＤカードに関して、そのＩＤカードの利用管理を一元化して行なうＩＤカード管理システムに関する。
【背景技術】
【０００２】
従来、利用者に対して発行されたＩＤカードを使用するアプリケーションシステムとして、様々なアプリケーションシステムが開発され、既に実施されている。
これらのＩＤカード利用のアプリケーションシステムとしては、例えば、入退室管理システム（例えば、特許文献１参照）、医療健康管理システム（例えば、特許文献２参照）、自動精算キャッシュレスシステム（例えば、特許文献３参照）、出欠管理システム、出退勤管理システム、クレジット管理システム、など種々の種類のアプリケーションシステムが知られている。
例えば、会社が社員に対して社員証としてＩＤカードを発行することで、その社員が、会社内に導入されている種々のアプリケーションシステムを利用できるようにしてある場合がある。
【特許文献１】特開平３−２４４７７０号公報
【特許文献２】特開平５−２８１６８号公報
【特許文献３】特開平１０−２２２７６３号公報
【０００３】
例えば、社員証用ＩＤカードを用いることで、会社の建物の入退室管理システムにＩＤカードを用いて認証処理を行うことで、入室を行なうことができ、更に社員食堂での代金支払い時に、社員証用ＩＤカードを用いることで、代金データを給与から天引きさせるキャッシュレスシステムを利用できるようにしてあるなど、社員であることによる様々な恩恵を得ることができる。
また、健康診断時にも社員証用ＩＤカードから読み取った社員ＩＤ番号に基づく、データ管理が行なわれるなどしている。
【０００４】
このように、１枚のＩＤカードを所持することで、複数種類のアプリケーションシステムに共通して使用できるようにしてあり、異なるアプリケーションシステムであっても複数枚のＩＤカードを所持しないでもよいので嵩張らないという利点がある。
【０００５】
しかしながら、従業員の多い会社などの組織においては、各社員毎に会社に導入されている各々のアプリケーションシステムに対して、異なる利用制限を行なっている場合がある。
例えば、従業員が正社員であるのか、パートやアルバイトなどの臨時雇用者であるのかなどによっても、正社員以外の従業員の入室を禁止している部屋があったり、正社員であっても、職種や役職などに応じて入室制限を行なう部屋を設けるなどしている場合がある。
このようにＩＤカードと、利用可能な各々のアプリケーションシステムとの関係としては、新入社員や新たな雇用などによって新規にＩＤカードの発行を行ったり、新たなアプリケーションシステムが導入されたり、ＩＤカード所有者の立場などが変更するなどして、利用可能なアプリケーションシステムの変更や失効などが生じることがある。
【０００６】
従来、ＩＤカードを使用するアプリケーションシステムにおいて、変更や失効などが生じた場合には、各々のアプリケーションシステム毎にそれらの変更や失効のデータ管理を行なう必要があり、一元化された管理がされていなかった。
そのために、ＩＤカードと、アプリケーションシステムと、利用者との関係について、変更や失効などのデータ管理に手間と時間がかかるという問題があった。
特に、社員数が多く、また、導入されているＩＤカード用のアプリケーションシステムの種類が多い企業などの場合には、各従業員と、その従業員に発行されたＩＤカードにより利用可能なアプリケーションシステムとの関係における管理が複雑となり手間と時間がかかり、効率的に処理できないという問題があった。
【発明の開示】
【発明が解決しようとする課題】
【０００７】
本発明は、ＩＤカードと、そのＩＤカードを使用して処理可能な複数のアプリケーションシステムとの利用関係を、管理用コンピュータを用いて一元化して管理できるようにして、ＩＤカード所有者の立場などが変更したり、新たなアプリケーションシステムが導入されたりして、ＩＤカードを使用するアプリケーションシステムに変更や失効などが生じた場合でも、手間と時間をかけずに短時間で効率的に処理することができるＩＤカード管理システムを提供する。
【課題を解決するための手段】
【０００８】
本発明のＩＤカード管理システムは、管理用コンピュータと、該管理用コンピュータと通信可能に接続された複数のアプリケーションシステムと、前記複数のアプリケーションシステムに対して共通使用可能に発行されたＩＤカードとからなるＩＤカード管理システムであって、前記ＩＤカードには、前記複数のアプリケーションシステムを利用する際に必要な固有情報が記憶された記憶手段を有し、前記管理用コンピュータには、前記固有情報に関係付けられて、前記ＩＤカードの利用者個人情報と、前記ＩＤカードを用いて処理することができるアプリケーションシステムを特定するシステム特定情報とが登録されているＩＤカード管理情報データベースと、前記管理用コンピュータ内の前記ＩＤカード管理情報データベースにおいて、前記ＩＤカードの固有情報に関係付けられているシステム特定情報に変更が生じた場合に、前記ＩＤカード管理情報データベースに登録されているシステム特定情報を変更するための変更情報を入力する入力手段と、前記ＩＤカード管理情報データベースに登録されている情報を管理用コンピュータに接続されたディスプレイに表示させる手段と、前記ＩＤカードで使用可能なアプリケーションシステムに関して変更が生じた場合に、変更が生じたアプリケーションシステムに対して変更指示情報を送信する変更指示情報送信手段と、が備えられていることを特徴とする。
【０００９】
また、本発明のＩＤカード管理システムは、前記ＩＤカード管理情報データベースには、登録されているシステム特定情報毎に、該システム特定情報で特定されるアプリケーションシステムに関して、前記ＩＤカードで使用可能な場所を特定する情報が登録されていることを特徴とする。
【００１０】
更に、本発明のＩＤカード管理システムは、前記ＩＤカード管理情報データベースには、前記ＩＤ情報に関係付けられて、ＩＤカードが再発行された際に、再発行されたＩＤカードの記憶手段に記憶される再発行用のＩＤ番号が登録されていることを特徴とする。
【発明の効果】
【００１１】
本発明のＩＤカード管理システムは、管理用コンピュータのＩＤカード管理情報データベースに、ＩＤカード毎に使用可能なアプリケーションシステムを登録しておくと共に、その後において、使用可能なアプリケーションシステムに関して変更や失効などが生じても、これらのＩＤカード管理情報データベースに登録されたデータを変更したり、また新規に追加することで一元化した管理を行なうことができるという効果がある。
また、使用可能なアプリケーションシステムに変更や失効などが生じた場合に、それらに関係するアプリケーションシステムに対して、変更や失効を知らせるデータが送信されるので、短時間でアプリケーションシステムに対して必要な処理を効率的に施すことができるという効果がある。
【００１２】
また、本発明のＩＤカード管理システムは、ＩＤカード管理情報データベースに、登録されているシステム特定情報毎に、該システム特定情報で特定されるアプリケーションシステムに関して、ＩＤカードで使用可能な場所を特定する情報が登録されているので、利用者毎にＩＤカードを使用可能な場所の制限を行うことで、利用者毎の管理を行なうことができるという効果がある。
【００１３】
更に、本発明のＩＤカード管理システムは、ＩＤカード管理情報データベースに、ＩＤ情報に関係付けられて、ＩＤカードが再発行された際に、再発行されたＩＤカードの記憶手段に記憶される再発行用のＩＤ番号が登録されるので、ＩＤカード管理情報データベースの登録情報を確認するだけで、どのＩＤカードが再発行されたカードであるのかについて、簡単に調べることができるという効果がある。
【発明を実施するための最良の形態】
【００１４】
以下、本発明の実施形態に係るＩＤカード管理システムについて、図面に基づいて詳細に説明する。
図１は、本発明の実施形態に係るＩＤカード管理システムの概要を説明するための図、図２は、本発明の実施形態に係るＩＤカード管理システムで用いるＩＤカードの平面図、図３は、本発明の実施形態に係るＩＤカード管理システムのシステムブロック図、図４は、本発明の実施形態に係るＩＤカード管理システムにおいて、ＩＤカード管理情報データベースの登録内容の一例を示した図、図５は、ＩＤカードのシステムブロック図、図６は、本発明の実施形態に係るＩＤカード管理システムにおいて、ＩＤカード管理情報データベースの登録内容に関する他の例を示した図、図７は、更新したＩＤカードのシステムブロック図、図８及び図９は、本発明の実施形態に係るＩＤカード管理システムの処理手順を示すフローチャートである。
【００１５】
図１に示すように、管理用コンピュータ１で管理されるＩＤカード５に関するデータは、そのＩＤカード５を用いた処理を行なう種々のアプリケーションシステム、例えば、入室管理システム２、キャッシュレスシステム３、カード発行システム４などに対し、必要に応じて送信される。
【００１６】
管理用コンピュータ１からは、入室管理システム２またはキャッシュレスシステム３の各アプリケーションシステムに対して、新規発行されたＩＤカード５の情報を送信したり、既に発行されているＩＤカード５の取り扱いに関する変更情報や失効情報を送信したり、また、カード発行システム４に対してＩＤカード５の発行に必要なデータを送信したりすることで、ＩＤカード５の使用管理の一元化が図れるようにしてある。
そして、管理用コンピュータ１からデータを受信した各アプリケーションシステムでは、管理用コンピュータ１から受信したデータに基づいて、その後のＩＤカード５に対する処理の取り扱いを変更させたり、失効させたりなどすることで、ＩＤカード５の使用者１７への対応を変えるなどができるようにしてある。
【００１７】
ＩＤカード５は、図２に示すように、例えば、接続用端子６が設けられたＩＣモジュールと、このＩＣモジュールに接続されたアンテナコイル７とを有する接触方式と非接触方式とが併用されたＩＣカードを用いることができる。
ＩＤカード５として、接触方式と非接触方式とが併用されたＩＣカードを用いることで、ＩＤカード５を使用する種々のアプリケーションシステムとして、接触方式を用いるシステムと非接触方式を用いるシステムとの両方のシステムに対応することができるので、１枚のＩＤカード５により異なる複数のアプリケーションシステムの利用を行なうことができるという利点がある。
【００１８】
また、図３に示すように、インターネットなどの通信回線１４を介して、管理用コンピュータ１は、入室管理システム２、キャッシュレスシステム３、カード発行システム４など各アプリケーションシステムと通信可能に接続されている。
管理用コンピュータ１には、入力手段８、変更指示情報送信手段９、表示手段１０、通信手段１１、ＩＤカード管理情報データベース１２、制御手段１３、などが備えられている。
【００１９】
図４に示すように、ＩＤカード管理情報データベース１２ａには、固有情報であるＩＤ番号に関係付けられて、ＩＤカードの利用者個人情報と、ＩＤカードを用いて処理することができるアプリケーションシステムを特定するシステム特定情報とが登録されている。
つまり、発行された１枚のＩＤカード５毎に予め設定した固有情報のＩＤ番号と関係付けて、ＩＤカード使用者の氏名、そのＩＤカードで使用可能なアプリケーションシステムとして、システム管理コード、システム名、システムの使用場所を特定する場所コード、使用場所名、更に、職群コード、発行カード名、利用開始日、利用終了日、再発行回数、再発行用ＩＤ番号、などが登録されている。
ＩＤカード管理情報データベース１２ａに登録されるこれらの情報は、ＩＤカードの管理者などが、必要に応じて入力手段８からＩＤカードの新規発行や利用変更情報などを入力することにより、追加、変更などを行なえるようにしてある。
【００２０】
ＩＤカード管理情報データベース１２ａにおいて、ＩＤカードで使用可能なアプリケーションシステムとして登録されているシステムは、そのＩＤカードの利用者が利用することができる状態にあるシステムであり、新たにＩＤカードで利用可能なアプリケーションシステムを追加したり、抹消することで、利用できるシステムを変えることができるようにしてある。
また、入力手段８により、管理用コンピュータ１内のＩＤカード管理情報データベース１２ａにおいて、ＩＤカード５の固有情報であるＩＤ番号に関係付けられているシステム特定情報に変更が生じた場合に、ＩＤカード管理情報データベース１２ａに登録されているシステム特定情報を変更するための変更情報を入力する。
【００２１】
変更指示情報送信手段９は、ＩＤカード管理情報データベース１２ａに登録された情報に変更が生じた場合に、関係するアプリケーションシステムに対して、これらの変更情報としてＩＤカードのＩＤ番号と変更内容情報とを送信する機能を有している。
この変更内容情報としては、新規に使用できるようになったＩＤ番号や、ＩＤカードを用いることが可能な場所の変更情報や、使用できなくなったＩＤカードのＩＤ番号などの失効情報などがある。
また、制御手段１３により、ＩＤカード管理情報データベース１２ａに登録されている情報を、表示手段であるディスプレイに表示させる。
【００２２】
また、ＩＤカード５には、図５に示すように、接続端子６、アンテナコイル７、ＣＰＵ１５、メモリ１６などが備えられ、メモリ１６に固有のＩＤ番号が登録されている。
ＩＤカード５には、各ＩＤカード毎に固有情報のＩＤ番号が登録されており、このＩＤ番号と、管理用コンピュータ１のＩＤカード管理情報データベース１２に登録されているＩＤ番号とで、各ＩＤカード毎に関する管理を行なえるようにしてあり、ＩＤカードを使用する各々のアプリケーションシステムにおいても、ＩＤカードから読み取ったＩＤ番号に基づいて、使用可能なＩＤカードか否かの識別処理を行うようにシステム化されている。
【００２３】
また、図６には、図４で示したＩＤカード５に種々の変更が生じた場合におけるＩＤカード管理情報データベース１２ｂの登録内容が示されている。
ＩＤカード管理情報データベース１２ｂでは、ＩＤカード５について、再発行がされてＩＤ番号が変更され、更にＩＤカード５で使用可能なアプリケーションシステムとして、新たに「健康管理システム」と、「図書貸出システム」とが追加され、更にＩＤカード５の利用開始日と利用終了日が変更された場合の登録状況が示されている。
ＩＤカード５が再発行されたことで、ＩＤ番号の下２桁に０１が追加されている。
また、この変更に伴って図７に示すように、再発行されるＩＤカード５のメモリ１６にも、ＩＤ番号の下２桁に０１が追加されたＩＤ番号が登録される。
【００２４】
次に、本発明の実施形態に係るＩＤカード管理システムの処理手順を、図８のフローチャートに基づいて説明する。
まず、図８に基づいて、既に発行されているＩＤカード５に関して、そのＩＤカード５を使用できるアプリケーションシステムが追加された場合について説明する。
ＩＤカード５の管理者は、管理用コンピュータ１の入力手段８から、今回変更があったＩＤカード５のＩＤ番号と、そのＩＤカード５を使用することができるようになったアプリケーションシステムのコードと、アプリケーションシステム名と、システムの使用場所を特定する場所コードと、使用場所名とを入力する。（ステップＳ１）
そして、ＩＤカード管理情報データベース１２に既にそのＩＤ番号に関係付けられて登録されている情報に対して、入力された情報を追加登録させる。（ステップＳ２）
【００２５】
次に、管理用コンピュータ１から今回の変更処理において、新たにそのＩＤカード５で使用可能となったアプリケーションシステムに対して、通信回線１４を介して、ＩＤカード５のＩＤ番号と、システムの使用場所を特定する場所コードを送信する。（ステップＳ３）
そして、これらの情報を受信したアプリケーションシステムは、ＩＤカードを用いた認証処理の際に、管理用コンピュータ１から受信されたＩＤ番号を、そのアプリケーションシステムにおいて使用可能なＩＤ番号となるようにアプリケーションシステム側の認証用データベースに登録させる。（ステップＳ４）
【００２６】
次に、図９に基づいて、既に発行されているＩＤカード５に関して、そのＩＤカード５の使用者が退社するなどして、従来、そのＩＤカード５で使用可能であったアプリケーションシステムに対してそのＩＤカード５での使用ができないようにするための失効処理を行なう場合について説明する。
【００２７】
ＩＤカード５の管理者は、管理用コンピュータ１の入力手段８から、使用の失効を行うＩＤカード５のＩＤ番号と、そのＩＤカード５での使用が行なえないようにするアプリケーションシステムのコードと、アプリケーションシステム名と、システムの使用場所を特定する場所コードと、使用場所名とを入力する。（ステップＳ５）
そして、ＩＤカード管理情報データベース１２に既にそのＩＤ番号に関係付けられて登録されている情報に対して、入力された情報を登録させる。（ステップＳ６）
【００２８】
次に、管理用コンピュータ１からＩＤカード５で使用を失効することとなったアプリケーションシステムに対して、通信回線１４を介して、ＩＤカード５のＩＤ番号と、システムの使用場所を特定する場所コードを送信する。（ステップＳ７）
そして、これらの情報を受信したアプリケーションシステムは、ＩＤカードを用いた認証処理の際に、そのＩＤ番号のＩＤカードでの認証が行なわれた際に、そのＩＤカードが使用できないように認証用データベースに登録する。（ステップＳ８）
【００２９】
以上のように、管理用コンピュータ１のＩＤカード管理情報データベース１２の登録状況を確認するだけで、発行されているＩＤカードについて、どのＩＤカードが、どのアプリケーションシステムに使用可能であるのかについて確認することができる。
また、管理用コンピュータ１にＩＤカード５の変更情報を入力して、これらの変更情報をＩＤカード管理情報データベース１２に登録することで、関係するアプリケーションシステムに対して、それらの変更情報の登録を行なうこともでき、ＩＤカード５の一元化した管理を行なうことができるようにしてある。
【図面の簡単な説明】
【００３０】
【図１】本発明の実施形態に係るＩＤカード管理システムの概要を説明するための図である。
【図２】本発明の実施形態に係るＩＤカード管理システムで用いるＩＤカードの平面図である。
【図３】本発明の実施形態に係るＩＤカード管理システムのシステムブロック図である。
【図４】本発明の実施形態に係るＩＤカード管理システムにおいて、ＩＤカード管理情報データベースの登録内容の一例を示した図である。
【図５】ＩＤカードのシステムブロック図である。
【図６】本発明の実施形態に係るＩＤカード管理システムにおいて、ＩＤカード管理情報データベースの登録内容に関する他の例を示した図である。
【図７】更新したＩＤカードのシステムブロック図である。
【図８】本発明の実施形態に係るＩＤカード管理システムの処理手順を示すフローチャートである。
【図９】本発明の実施形態に係るＩＤカード管理システムの処理手順を示すフローチャートである。
【符号の説明】
【００３１】
１  管理用コンピュータ
２  入室管理システム
３  キャッシュレスシステム
４  カード発行システム
５  ＩＤカード
６  接続用端子
７  アンテナコイル
８  入力手段
９  変更指示情報送信手段
１０  表示手段
１１  通信手段
１２，１２ａ，１２ｂ  ＩＤカード管理情報データベース
１３  制御手段
１４  通信回線
１５  ＣＰＵ
１６  メモリ
【図１】
2006107072.tif 000003
【図２】
2006107072.tif 000004
【図３】
2006107072.tif 000005
【図４】
2006107072.tif 000006
【図５】
2006107072.tif 000007
【図６】
2006107072.tif 000008
【図７】
2006107072.tif 000009
【図８】
2006107072.tif 000010
【図９】
2006107072.tif 000011